(57)【要約】【課題】無線通信装置内蔵テレビジョン受像機において、モニタ部の主電源がオフされても、連動してチューナ部の電源をオフすることで、消費電力削減を行うことを目的とする。【解決手段】モニタ部は、主電源スイッチがオフされても一定時間電源オン状態を保持する電力蓄積手段と、主電源スイッチがオフされたことを検出する主電源オフ検出手段と、チューナ部へ主電源オフ情報を送信する主電源オフ情報送信手段と、チューナ部は、モニタ部からの主電源オフ情報を受信する主電源オフ情報受信手段と、チューナ部の電源を制御する電源制御手段を備えることで、モニタ部の主電源がオフされても、連動してチューナ部の電源をオフすることが可能となる。【選択図】図１
2009171181.tif 000002
【特許請求の範囲】
【請求項１】
放送波を受信し選局して映像信号を取り出すチューナ部と、前記チューナ部と無線伝送を行い、前記映像信号を表示するモニタ部とを備えたテレビジョン受信機において、前記モニタ部は、前記モニタ部の電源を供給させる主電源スイッチと、前記主電源スイッチがオフされても一定時間電源オン状態を保持する電力蓄積部と、前記モニタ部を制御するマイクロコンピュータと、前記主電源スイッチがオフされたことを検出する主電源オフ検出部と、前記チューナ部と無線伝送を行う無線通信部とを備え、前記チューナ部は、前記チューナ部の電源を供給させる主電源スイッチと、前記チューナ部を制御するマイクロコンピュータと、前記モニタ部と無線伝送を行う無線通信部と、前記チューナ部の電源を制御する電源制御部とを備えた、テレビジョン受信機。
【請求項２】
放送波を受信し選局して映像信号を取り出すチューナ部と、前記チューナ部と無線伝送を行い、前記映像信号を表示するモニタ部とを備えたテレビジョン受信機における電源制御方法であって、前記モニタ部は、前記主電源スイッチがオフされたことを検出する主電源オフ検出ステップと、前記主電源オフ検出ステップにおいて、主電源オフ時は前記チューナ部へ主電源オフ情報を送信する主電源オフ送信ステップとを含み、前記チューナ部は、
前記モニタ部からの主電源オフ情報を受信する主電源オフ受信ステップと、前記主電源オフ受信ステップにおいて、主電源オフ情報受信時は前記チューナ部の電源をオフするチューナ部電源オフステップとを含む電源制御方法。
【発明の詳細な説明】
【技術分野】
【０００１】
本発明は、無線通信装置内蔵テレビジョン受像機に関し、特に無線通信装置内蔵テレビジョン受像機における電源制御機能に関する。
【背景技術】
【０００２】
従来、チューナを含むチューナ部とモニタ部とを別個に構成し、チューナ部で受信したテレビジョン放送信号を無線通信によりモニタ部へ送信し、モニタ部は受信したテレビジョン放送信号に所定の処理を施した後にテレビジョン画面として提供する無線通信装置内蔵テレビジョン受像機が知られている。
【０００３】
このような無線通信装置内蔵テレビジョン受像機において、消費電力削減を目的に、チューナ部のリソースを使用していない時にチューナ部の電源をオフする技術が知られている（例えば、特許文献１参照）。また、モニタ部をリモコンオフした時、モニタ部の電源をオフし、さらにリモコンオフ情報をチューナ部に送信してチューナ部の電源をオフする技術が知られている。
【特許文献１】特開２００５−１９７８５４号公報
【発明の開示】
【発明が解決しようとする課題】
【０００４】
しかしながら、前記従来の構成では、モニタ部の主電源がオフされた時に、モニタ部の動作が即停止してしまい、チューナ部の電源がオフできないという課題があった。
【０００５】
本発明は、かかる状況に鑑みて、モニタ部の主電源がオフされても、連動してチューナ部の電源をオフする電源制御方法を提供することを目的とする。
【課題を解決するための手段】
【０００６】
上記課題を解決するため、本発明のテレビジョン受信機は、放送波を受信し選局して映像信号を取り出すチューナ部と、前記チューナ部と無線伝送を行い、前記映像信号を表示するモニタ部とを備えたテレビジョン受信機において、前記モニタ部は、前記モニタ部の電源を供給させる主電源スイッチと、前記主電源スイッチがオフされても一定時間電源オン状態を保持する電力蓄積部と、前記モニタ部を制御するマイクロコンピュータと、前記主電源スイッチがオフされたことを検出する主電源オフ検出部と、前記チューナ部と無線伝送を行う無線通信部とを備え、前記チューナ部は、前記チューナ部の電源を供給させる主電源スイッチと、前記チューナ部を制御するマイクロコンピュータと、前記モニタ部と無線伝送を行う無線通信部と、前記チューナ部の電源を制御する電源制御部とを備えたことを特徴とする。
【発明の効果】
【０００７】
以上のように、本発明の無線通信装置内蔵テレビジョン受像機によれば、モニタ部の主電源がオフされてもチューナ部の電源をオフすることが可能となり、消費電力削減が可能となる。
【発明を実施するための最良の形態】
【０００８】
以下本発明を実施するための最良の形態について、図面を参照しながら説明する。
【０００９】
（実施の形態１）
図１は本発明の実施の形態１による無線通信装置内蔵テレビジョン受像機の構成を示すブロック図である。無線通信装置内蔵テレビジョン受信機は、放送波を受信し、特定周波数の信号を取り出し選局するチューナ部１０７と、チューナ部１０７で抽出した映像信号を無線通信でやりとりし、表示するモニタ部１０１とからなる。
【００１０】
モニタ部１０１は、モニタ部１０１の電源を供給させる主電源スイッチ１０２と、主電源スイッチ１０２がオフされても一定時間電源オン状態を保持する電力蓄積部１０３と、モニタ部１０１を制御するマイクロコンピュータ１０４と、主電源スイッチがオフされたことを検出する主電源オフ検出部１０５と、チューナ部１０７と無線伝送を行う無線通信部１０６で構成されている。
【００１１】
チューナ部１０７は、チューナ部１０７の電源を供給させる主電源スイッチ１０８と、チューナ部１０７を制御するマイクロコンピュータ１０９と、モニタ部１０１と無線伝送を行う無線通信部１１０と、チューナ部１０７の電源を制御する電源制御部１１１で構成されている。
【００１２】
次に、本実施の形態１によるモニタ部１０１の電源制御機能の動作を図２に示すフローチャートを用いて説明する。
【００１３】
マイクロコンピュータ１０４の制御により、モニタ部１０１は、主電源スイッチ１０２がオフされたことを主電源オフ検出部１０５で検出し（ステップ２０１）、主電源オフ検出ステップ２０１において、主電源オフ検出時は（ステップ２０１で「Ｙ」）チューナ部１０７へ主電源オフ情報を送信する（ステップ２０２）。
【００１４】
以上のように、モニタ部１０１は、主電源オフされても電力蓄積部１０３により一定時間電源オン状態が保持されるので、チューナ部１０７へ主電源オフ情報が送信可能となる。
【００１５】
次に、チューナ部１０７の電源制御機能の動作を図３に示すフローチャートを用いて説明する。
【００１６】
チューナ部１０７は、モニタ部１０１からの主電源オフ情報を受信し（ステップ３０１）、主電源オフ情報受信ステップ３０１において、主電源オフ情報受信時は（ステップ３０１で「Ｙ」）チューナ部１０７の電源制御部１１１により電源をオフする（ステップ３０２）。
【００１７】
以上のように、チューナ部１０７は、モニタ部１０１からの主電源オフ情報を受信し、チューナ部１０７の電源をオフすることが可能となる。
【００１８】
なお、本実施の形態１では、コンピュータプログラムによってそれぞれの手段が制御されることで実現したが、このコンピュータプログラムをＤＶＤ等の記録媒体に記録しておくことにより、移送が可能となり、独立した他の無線通信機能を内蔵したテレビジョン受像機においても容易に実施することができる。
【００１９】
（実施の形態２）
以下に本発明のより詳細な実施の形態について、図面を参照しながら説明する。なお、ここで示す実施の形態はあくまでも一実施例であって、本発明は、必ずしもこの実施の形態に限定されるものではない。
【００２０】
また、本実施の形態において、ＨＤＭＩ規格の説明に用いた図は、Ｈｉｇｈ  Ｄｅｆｉｎｉｔｉｏｎ  Ｍｕｌｔｉｍｅｄｉａ  Ｉｎｔｅｒｆａｃｅ「Ｓｐｅｃｉｆｉｃａｔｉｏｎ  Ｖｅｒｓｉｏｎ  ０．９」「Ｓｐｅｃｉｆｉｃａｔｉｏｎ  Ｖｅｒｓｉｏｎ  １．０」「Ｓｐｅｃｉｆｉｃａｔｉｏｎ  Ｖｅｒｓｉｏｎ  １．１」から引用した。
【００２１】
以下に、本発明を実現するための構成について図４から図５を参照して説明する。図４は、ＨＤＭＩ規格により構成されたＨＤＭＩ  Ｓｏｕｒｃｅ１００とＨＤＭＩ  Ｓｉｎｋ２００の構成を示すブロック図である。ここで、ＨＤＭＩ  Ｓｏｕｒｃｅ１００とＨＤＭＩ  Ｓｉｎｋ２００とは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）のＣｈａｎｎｅｌ１から４、ＴＭＤＳ  Ｃｌｏｃｋ  Ｃｈａｎｎｅｌ及びＤＤＣ（Ｄｉｓｐｌａｙ  Ｄａｔａ  Ｃｈａｎｎｅｌ）、ＣＥＣ  Ｌｉｎｅにより無線で接続されている。
【００２２】
ＨＤＭＩケーブル（無線）及びコネクター３００は、４つの差動信号線（３０２から３０８）により無線で接続されており、３つの差動信号線（３０２から３０６）によりＴＭＤＳデータを伝送し、１つの差動信号線３０８によりクロック情報を伝送する。これらの差動信号線（３０２から３０８）により、映像、音声及び制御信号（補助データ）が伝送される。ここで、映像データは、ＲＧＢ又はＹＣｂＣｒ４：４：４又はＹＣｂＣｒ４：４：２のフォーマットの何れにでもコード化することが可能である。
【００２３】
また、クロック情報を伝送する差動信号線３０８においては、映像信号クロックが伝送され、その映像信号クロックが上述した３つの差動信号線（３０２から３０６）により伝送されるＴＭＤＳデータにおいて使用される。さらに、ＨＤＭＩ  Ｓｏｕｒｃｅ１００とＨＤＭＩ  Ｓｉｎｋ２００とは、ＤＤＣ３１０により無線で接続されており、このＤＤＣ３１０により、ＨＤＭＩ  Ｓｏｕｒｃｅ１００とＨＤＭＩ  Ｓｉｎｋ２００との間でそれぞれの構成やそれぞれの状態等の情報が交換される。また、ＣＥＣ  Ｌｉｎｅ３１２では、ユーザー環境において複数種類の映像音声機器間において、高度な制御機能を実現することが可能になるものである。
【００２４】
以下、図５を参照しながら、図４に示すＨＤＭＩ規格により構成されたＨＤＭＩ  Ｓｏｕｒｃｅ１００とＨＤＭＩ  Ｓｉｎｋ２００の構成を詳細に説明する。
【００２５】
図２において、ＨＤＭＩ  Ｓｏｕｒｃｅ１００としてＨＤＭＩ対応のチューナー（Ｓｅｔ  Ｔｏｐ  Ｂｏｘ等）を、ＨＤＭＩ  Ｓｉｎｋ２００としてＨＤＭＩ対応のモニター（ＴＶ等）を用いて説明する。
【００２６】
まず、最初にＨＤＭＩ対応のＨＤＭＩ  Ｓｏｕｒｃｅ１００について説明する。ＨＤＭＩ  Ｓｏｕｒｃｅ１００においては、端子１５２から入力されたＲＧＢ映像信号１５３と、端子１５４から入力された音声信号１５５と、端子１５６から入力された制御信号１５７とは、多重化回路１５８において、映像信号の無い映像ブランキング期間に時間軸圧縮した音声信号１５５と制御信号１５７を多重した映像音声多重信号１５９（図示せず）となり、次に、ＨＤＣＰエンクリプト回路１６０において暗号化されてコピーガードがかけられる。
【００２７】
暗号化に際して、ＨＤＣＰエンクリプト回路１６０は、ＨＤＣＰＫＥＹ１６２から必要に応じて鍵信号を受け取り暗号化を行う。次に、暗号化された信号は、ＴＭＤＳ送信回路１６４に入力され、１０ビットに変換された後、ＴＭＤＳエンコードされた後に差動シリアル化されて、ＨＤＭＩ接続端子１６６を介して伝送される。差動信号線３０２はＣｈ０でＢ（Ｂｌｕｅ）信号を、差動信号線３０４はＣｈ１でＧ（Ｇｒｅｅｎ）信号を、差動信号線３０６はＣｈ２でＲ（Ｒｅｄ）信号を、差動信号線３０８はＣｌｏｃｋ（クロック）をそれぞれ伝送する。
【００２８】
ここで、ＨＤＣＰの鍵情報やＥＤＩＤ情報は、ＨＤＭＩ接続端子１６６及び２０２を介して、ＤＤＣ（Ｄｉｓｐｌａｙ  Ｄａｔａ  Ｃｈａｎｎｅｌ）ライン３１０なるＩ２Ｃバスで送受信される。ＥＤＩＤ２０４は、ディスプレイが許容する信号フォーマットなどのＥＤＩＤ情報を格納したＲＯＭ等の蓄積デバイスであり、ＥＤＩＤ情報は必要に応じてＨＤＭＩ対応のＳＴＢ１００のマイコン１６８によって読み出される。より具体的には、マイコン１６８が、ＨＤＭＩ対応のＳＴＢ１００がＨＤＭＩ対応のＴＶ２００に接続された事を検出して、ＥＤＩＤ２０４に格納されたＥＤＩＤ情報を読み出す。
【００２９】
次に、ＨＤＭＩ  Ｓｉｎｋ２００について詳細に説明する。ＨＤＭＩ対応のＴＶ２００に入力された３系統（ＲＧＢ）の信号と１系統のクロック信号はＴＭＤＳ受信回路２０６に入力され、パラレル化及びＴＭＤＳデコード及び１０／８ビット変換された後、８ビットのＲＧＢ映像信号に復元される。復元された８ビットのＲＧＢ映像信号は、ＨＤＣＰデクリプト回路２０８で暗号が解かれて、映像信号抽出回路２１０、音声信号抽出回路２１２、制御信号抽出回路２１４にそれぞれ入力される。ＨＤＣＰデクリプトは、ＨＤＭＩ  Ｓｏｕｒｃｅ１００からの鍵情報に応答して、ＨＤＣＰＫＥＹ２１６から鍵情報をＨＤＭＩ  Ｓｏｕｒｃｅ１００に送信して、ＨＤＭＩ  Ｓｏｕｒｃｅ１００がベリファイした後に、暗号が解除される。
【００３０】
制御信号抽出回路２１４は、映像ブランキング期間に重畳される制御信号１５７を抽出して、制御信号１５７はマイコン２１８に入力される。また、映像信号抽出回路２１０は、ＲＧＢ映像信号をＴＶ表示部２２０に伝送する。なお、ここで、図示はしていないが、ＯＳＤ付加回路等を設けることにより、マイコンによって制御することにより、ＲＧＢ映像信号にＯＳＤ信号を付加することも可能になる。次に、音声信号抽出回路２１２は、映像ブランキング期間に重畳される音声信号を抽出し、音声信号はＤ／Ａ２２２でＤ／Ａ変換された後にＴＶ音声表示部２２４に出力される。
【００３１】
このような構成において、本発明の特徴である電源制御について詳細に説明する。ＨＤＭＩ  Ｓｉｎｋ２００は、電源を供給させる主電源スイッチ２２６と、主電源スイッチ２２６がオフされても一定時間電源オン状態を保持する電力蓄積部２２８と、ＨＤＭＩ  Ｓｉｎｋ２００を制御するマイクロコンピュータ２１８と、主電源スイッチがオフされたことを検出する主電源オフ検出部（図示せず）と、ＨＤＭＩ  Ｓｏｕｒｃｅ１００と無線伝送を行うＨＤＭＩ接続端子２０２で構成されている。
【００３２】
ここで、マイクロコンピュータ２１８によりＨＤＭＩ  Ｓｉｎｋ２００の主電源スイッチ２２６がオフされたことを主電源オフ検出部で検出した場合には、ＨＤＭＩ  Ｓｉｎｋ２００から図４に示したＣＥＣ  Ｌｉｎｅ３１２を介してＨＤＭＩ  Ｓｏｕｒｃｅ１００にＨＤＭＩ  Ｓｉｎｋ２００の主電源がオフされたことを伝送する。
【００３３】
これに対応して、ＨＤＭＩ  Ｓｏｕｒｃｅ１００は、ＨＤＭＩ  Ｓｏｕｒｃｅ１００の状態を確認した上で、ＨＤＭＩ  Ｓｏｕｒｃｅ１００の電源をオフして問題がない場合には、ＨＤＭＩ  Ｓｉｎｋ２００からの主電源オフ情報に連動して、ＨＤＭＩ  Ｓｏｕｒｃｅ１００の主電源をオフする。この場合に、ＨＤＭＩ  Ｓｉｎｋ２００においては、電源が供給されないため、上述した電力蓄積部２２８に蓄積された電力を用いて、上述した処理を行う。
【００３４】
これにより、ＨＤＭＩ  Ｓｉｎｋ２００は、主電源オフされても電力蓄積部２２８により一定時間電源オン状態が保持されるので、チューナ部１０７へ主電源オフ情報が送信可能となるものである。
【産業上の利用可能性】
【００３５】
本発明のテレビジョン受像機は、モニタ部の主電源がオフされても、連動してチューナ部の電源をオフすることが可能となり、無線通信機能を内蔵した全てのＡＶ機器で有用である。
【図面の簡単な説明】
【００３６】
【図１】本発明の一実施の形態における無線通信装置内蔵テレビジョン受像機を示すブロック図
【図２】本発明の一実施の形態におけるモニタ部の処理手順を示すフローチャート
【図３】本発明の一実施の形態におけるチューナ部の処理手順を示すフローチャート
【図４】本発明の一実施の形態における送信及び受信装置の構成を示す図
【図５】本発明の一実施の形態における送信及び受信装置の詳細な構成を示す図
【符号の説明】
【００３７】
１０１    モニタ部
１０２    モニタ部主電源スイッチ
１０３    モニタ部電力蓄積部
１０４    モニタ部マイクロコンピュータ
１０５    モニタ部主電源オフ検出部
１０６    モニタ部無線通信部
１０７    チューナ部
１０８    チューナ部主電源スイッチ
１０９    チューナ部マイクロコンピュータ
１１０    チューナ部無線通信部
１１１    チューナ部電源制御部
【図１】
2009171181.tif 000003
【図２】
2009171181.tif 000004
【図３】
2009171181.tif 000005
【図４】
2009171181.tif 000006
【図５】
2009171181.tif 000007